(57)【要約】【課題】  多重チャンネルの動的選択のためのスイッチングフィルターモジュールを提供する。【解決手段】  Ｎ個のチャンネルの動的選択のためのスイッチングフィルターモジュールにおいて、所定の周波数帯域幅をそれぞれ有し、隣接した第１ないし第Ｎのチャンネルのうち二つのチャンネルの周波数帯域を通過させるＮ個の二重チャンネル選択フィルターと、前記二重チャンネル選択フィルターを相互接続する少なくとも一つの２経路及び３経路スイッチとから構成され、前記Ｎ個の二重チャンネル選択フィルターはそれぞれ少なくとも一つの他の二重チャンネル選択フィルター及び少なくとも一つの３経路スイッチと直列で連結される。よって、ＲＦモジュールの大きさとコストを大幅に減少させて周波数選択度を増加させられる。【選択図】  図３
2005020756.tif 000002
【特許請求の範囲】
【請求項１】
多重チャンネルの動的選択のためのスイッチングフィルターモジュールにおいて、
所定の周波数帯域幅をそれぞれ有する第１ないし第４のチャンネルのうち少なくとも一つを含む入力信号を第１及び第２の出力接点から選択された接点に連結する２−経路スイッチと、
前記２−経路スイッチの第１及び第２の出力接点にそれぞれ連結された入力部及び出力部を有し、隣接した第１及び第２のチャンネルの周波数帯域を通過させる第１の二重チャンネル選択フィルターと、
前記第１の二重チャンネル選択フィルターの出力を自分の第１ないし第３の出力接点から選択された接点に連結する第１の３−経路スイッチと、
第１の３−経路スイッチの第１及び第２の出力接点にそれぞれ連結された入力部及び出力を有し、隣接した第２及び第３のチャンネルの周波数帯域を通過させる第２の二重チャンネル選択フィルターと、前記第２の二重チャンネル選択フィルターの出力部は前記スイッチングフィルターモジュールの第１の出力ノードになり、
前記入力信号を受信して隣接した第３及び第４のチャンネルの周波数帯域を通過させる第３の二重チャンネル選択フィルターと、
前記第３の二重チャンネル選択フィルターの出力を自分の第１ないし第３の出力接点から選択された接点に連結する第２の３−経路スイッチと、前記第２の３−経路スイッチの第１の出力接点は前記第２の二重チャンネル選択フィルターの入力部に連結され、
前記第２の３−経路スイッチの第２及び第３の出力接点にそれぞれ連結された入力部及び出力部を有する第４の二重チャンネル選択フィルターとから構成され、前記第４の二重チャンネル選択フィルターの出力部は前記スイッチングフィルターモジュールの第２の出力ノードになることを特徴とするスイッチングフィルターモジュール。
【請求項２】
前記第１ないし第３の二重チャンネル選択フィルターは、隣接した二つのチャンネルのうち下部チャンネルの開始周波数から上部チャンネルの終了周波数までの周波数帯域を通過させることを特徴とする請求項１に記載のスイッチングフィルターモジュール。
【請求項３】
前記第１ないし第３の二重チャンネル選択フィルターは、無線近距離ネットワーク(ＷＬＡＮ)の無線チャンネルのために４０ＭＨｚのフィルター通過帯域幅と３６.６ＭＨｚの有効通過帯域幅を有することを特徴とする請求項２に記載のスイッチングフィルターモジュール。
【請求項４】
前記第４の二重チャンネル選択フィルターは、前記第１のチャンネルの周波数帯域と前記第４のチャンネルの周波数帯域を通過させることを特徴とする請求項１に記載のスイッチングフィルターモジュール。
【請求項５】
Ｎ個のチャンネルの動的選択のためのスイッチングフィルターモジュールにおいて、
所定の周波数帯域幅をそれぞれ有し、連続した第１ないし第Ｎのチャンネルのうち二つのチャンネルの周波数帯域を通過させるＮ個の二重チャンネル選択フィルターと、
前記二重チャンネル選択フィルターを相互接続する少なくとも一つの２経路及び３経路スイッチとから構成され、
前記Ｎ個の二重チャンネル選択フィルターはそれぞれ少なくとも一つの他の二重チャンネル選択フィルター及び少なくとも一つの３経路スイッチと直列で連結されることを特徴とするスイッチングフィルターモジュール。
【請求項６】
前記二重チャンネル選択フィルターは、隣接した二つのチャンネルのうち下部チャンネルの開始周波数から上部チャンネルの終了周波数までの周波数帯域を通過させることを特徴とする請求項５に記載のスイッチングフィルターモジュール。
【請求項７】
前記Ｎは４の倍数であることを特徴とする請求項５に記載のスイッチングフィルターモジュール。
【請求項８】
前記Ｎ個のチャンネルが４個である場合、スイッチングフィルターモジュールは、
所定の周波数帯域幅をそれぞれ有する隣接した第１ないし第８のチャンネルのうち少なくとも一つを含む入力信号を第１及び第２の出力接点から選択された接点に連結する２−経路スイッチと、
前記２−経路スイッチの第１及び第２の出力接点にそれぞれ連結された入力部及び出力部を有し、隣接した第１及び第２のチャンネルの周波数帯域を通過させる第１の二重チャンネル選択フィルターと、
前記第１の二重チャンネル選択フィルターの出力を自分の第１ないし第３の出力接点から選択された接点に連結する第１の３−経路スイッチと、
前記第１の３−経路スイッチの第１及び第２の出力接点にそれぞれ連結された入力部及び出力部を有し、隣接した第２及び第３のチャンネルの周波数帯域を通過させる第２の二重チャンネル選択フィルターと、前記第２の二重チャンネル選択フィルターの出力部は前記スイッチングフィルターモジュールの第１の出力ノードになり、
前記入力信号を受信して、隣接した第３及び第４のチャンネルの周波数帯域を通過させる第３の二重チャンネル選択フィルターと、
前記第３の二重チャンネル選択フィルターの出力を自分の第１ないし第３の出力接点から選択された接点に連結する第２の３−経路スイッチと、前記第２の３−経路スイッチの第１の出力接点は前記第２の二重チャンネル選択フィルターの入力部に連結され、
前記第２の３−経路スイッチの第２及び第３の出力接点にそれぞれ連結された入力部及び出力部を有する第４の二重チャンネル選択フィルターとから構成され、前記第４の二重チャンネル選択フィルターの出力部は前記スイッチングフィルターモジュールの第２の出力ノードになることを特徴とする請求項５に記載のスイッチングフィルターモジュール。
【請求項９】
前記第１ないし第３の二重チャンネル選択フィルターは、隣接した二つのチャンネルのうち下部チャンネルの開始周波数から上部チャンネルの終了周波数までの周波数帯域を通過させることを特徴とする請求項８に記載のスイッチングフィルターモジュール。
【請求項１０】
前記第１ないし第３の二重チャンネル選択フィルターは、無線近距離ネットワーク(ＷＬＡＮ)の無線チャンネルのために４０ＭＨｚのフィルター通過帯域幅と３６.６ＭＨｚの有効通過帯域幅を有することを特徴とする請求項９に記載のスイッチングフィルターモジュール。
【請求項１１】
前記第４の二重チャンネル選択フィルターは、前記第１のチャンネルの周波数帯域と前記第４のチャンネルの周波数帯域を通過させることを特徴とする請求項８に記載のスイッチングフィルターモジュール。
【請求項１２】
前記Ｎ個のチャンネルが８個である場合、前記スイッチングフィルターモジュールは、
所定の周波数帯域幅をそれぞれ有する第１ないし第４のチャンネルのうち少なくとも一つを含む入力信号を第１及び第２の出力接点から選択された接点に連結する第１の２−経路スイッチと、
前記第１の２−経路スイッチの第１及び第２の出力接点にそれぞれ連結された入力部及び出力部を有し、隣接した第１及び第２のチャンネルの周波数帯域を通過させる第１の二重チャンネル選択フィルターと、
前記第１の二重チャンネル選択フィルターの出力を自分の第１ないし第３の出力接点から選択された接点に連結する第１の３−経路スイッチと、
前記第１の３−経路スイッチの第１及び第２の出力接点にそれぞれ連結された入力部及び出力部を有し、隣接した第２及び第３のチャンネルの周波数帯域を通過させる第２の二重チャンネル選択フィルターと、前記第２の二重チャンネル選択フィルターの出力部は前記スイッチングフィルターモジュールの第１の出力ノードになり、
前記入力信号を受信して、隣接した第３及び第４のチャンネルの周波数帯域を通過させる第３の二重チャンネル選択フィルターと、
前記第３の二重チャンネル選択フィルターの出力を自分の第１ないし第３の出力接点から選択された接点に連結する第２の３−経路スイッチと、前記第２の３−経路スイッチの第１の出力接点は前記第２の二重チャンネル選択フィルターの入力部に連結され、
前記第２の３−経路スイッチの第２及び第３の出力接点にそれぞれ連結された入力部及び出力部を有し、第１及び第４のチャンネルの周波数帯域を通過させる第４の二重チャンネル選択フィルターとから構成され、前記第４の二重チャンネル選択フィルターの出力部は前記スイッチングフィルターモジュールの第２の出力ノードになり、
前記第１ないし第４のチャンネルに隣接して所定の周波数帯域幅をそれぞれ有する第５ないし第８のチャンネルのうち少なくとも一つを含む入力信号を第１及び第２の出力接点から選択された接点に連結する第２の２−経路スイッチと、
前記第２の２−経路スイッチの第１及び第２の出力接点にそれぞれ連結された入力部及び出力部を有し、隣接した第５及び第６のチャンネルの周波数帯域を通過させる第５の二重チャンネル選択フィルターと、
前記第５の二重チャンネル選択フィルターの出力を自分の第１ないし第３の出力接点から選択された接点に連結する第３の３−経路スイッチと、
前記第３の３−経路スイッチの第１及び第２の出力接点にそれぞれ連結された入力部及び出力部を有し、隣接した第６及び第７のチャンネルの周波数帯域を通過させる第６の二重チャンネル選択フィルターと、前記第６の二重チャンネル選択フィルターの出力部は前記スイッチングフィルターモジュールの第３の出力ノードになり、
前記入力信号を受信して、隣接した第７及び第８のチャンネルの周波数帯域を通過させる第７の二重チャンネル選択フィルターと、
前記第７の二重チャンネル選択フィルターの出力を自分の第１ないし第３の出力接点から選択された接点に連結する第４の３−経路スイッチと、前記第４の３−経路スイッチの第１の出力接点は前記第６の二重チャンネル選択フィルターの入力部に連結され、
前記第４の３−経路スイッチの第２及び第３の出力接点にそれぞれ連結された入力部及び出力部を有し、第５及び第８のチャンネルの周波数帯域を通過させる第８の二重チャンネル選択フィルターとから構成され、前記第８の二重チャンネル選択フィルターの出力部は前記スイッチングフィルターモジュールの第４の出力ノードになることを特徴とする請求項５に記載のスイッチングフィルターモジュール。
【発明の詳細な説明】
【技術分野】
【０００１】
本発明は、無線通信システムに関し、特に多数の無線通信チャンネルのうち受信感度の良いチャンネルを同時に選択して受信できるスイッチングフィルターモジュールに関する。
【背景技術】
【０００２】
高速の移動サービスを提供するセルラー通信方式とは異なり、比較的一定場所に固定されている使用者の高速データサービスの要求を充足できる無線近距離ネットワーク(Wireless Local Area Network：ＷＬＡＮ)通信方式が最近急速に成長している。現在、一番一般的に常用化された国際ＷＬＡＮ標準であるＩＥＥＥ８０２.１１ａ／ｂ方式の場合、各チャンネル毎に約２０ＭＨｚの帯域幅を使用しているが、より高効率のマルチメディアサービスを安定的に提供するためには、これより広い帯域幅を使用するシステムの導入が要求されているのが実状である。かかる広帯域ＷＬＡＮシステムでは、既存のＷＬＡＮ使用者との互換性のために、現在の標準で提供している一つまたは二つのチャンネルを組み合わせて使用する。
【０００３】
一般に、多数のチャンネルを同時に選択できるモジュールを構成するためには、各チャンネルに該当する信号周波数を選択するための多数のフィルターが必要である。
【０００４】
図１は従来の技術により使用可能な４個のチャンネルのうちで一つまたは二つのチャンネルを同時に選択するためのフィルターモジュールの構成を示したものである。ここでは、ＷＬＡＮシステムの低帯域(Low-Band)受信器に適用されたフィルターモジュールを示したが、送信器にも同一な構成が適用される。
【０００５】
前記図１を参照すると、受信アンテナ１０２はＲＦ(Radio Frequency)信号を受信し、帯域通過フィルター(Band Pass Filter：ＢＰＦ)１０４は前記受信されたＲＦ信号をフィルタリングして比較的広い受信周波数帯域のフィルタリングされた信号を出力し、低雑音増幅器(Low Noise Amplifier：ＬＮＡ)１０６は前記フィルタリングされた信号を増幅する。ミキサー(Mixer)１０８は局部発振器(Local Oscillator)１１０から発生した局部発振周波数にて前記増幅された信号を中間周波数(Intermediate Frequency：ＩＦ)帯域の信号に周波数下降変換(Frequency Down Conversion)する。前記中間周波数信号は所定の周波数帯域をもつ多数のチャンネル信号を含んでいるので、スイッチングフィルターモジュール１１２は使用を希望するチャンネルの信号のみを選択して復調器(図示せず)に伝達する。
【０００６】
スイッチングフィルターモジュール１１２は前記周波数信号に含まれたチャンネル信号のうち希望する一つまたは二つのチャンネル信号のみを通過させ、その他の信号は抑制するチャンネル選択フィルター(Frequency Selection Filters)１１６ａないし１１６ｇを含んで構成される。各チャンネル選択フィルター１１６ａないし１１６ｇ内に明示された番号は該当するフィルターで通過させるチャンネルのことを示す。各チャンネル選択フィルターの前端にはオン−オフスイッチ１１４ａないし１１４ｇが具備されている。
【０００７】
スイッチングフィルターモジュール１１２は連続した周波数帯域幅をもつ４個のチャンネル信号を処理することができる。１番と４番のチャンネルを同時に選択する場合、スイッチングフィルターモジュール１１２は１番及び４番のチャンネル選択フィルター１１６ａ、１１６ｄの前端に位置した１番及び４番のスイッチ１１４ａ、１１４ｄをオンさせ、その他のチャンネル選択フィルター１１６ｂ、１１６ｃ、１１６ｅ、１１６ｆ、１１６ｇの前端に位置したスイッチ１１４ｂ、１１４ｃ、１１４ｅ、１１４ｆ、１１４ｇはオフさせる。他の場合、隣接した１番と２番のチャンネルを同時に選択するために、スイッチングフィルターモジュール１１２は１番及び２番のチャンネル選択フィルター１１６ａ、１１６ｂの前端に位置した１番及び２番スイッチ１１４ａ、１１４ｂをオンさせ、その他のスイッチ１１４ｃないし１１４ｇはオフさせる。
【０００８】
スイッチングフィルターモジュール１１２は一つのチャンネルのみを選択できる４個のチャンネル選択フィルター１１６ａないし１１６ｄのうち２個の組合せでも２個の隣接したチャンネルを選択することができる。しかし、こういう場合、２個の独立的なチャンネル選択フィルターが並列で使用されるため、各チャンネル選択フィルターにより隣接するチャンネルの信号が抑制される。例えば、各チャンネル当り有効帯域幅が１６.６ＭＨｚであるＩＥＥＥａ８０２.１１ａＷＬＡＮ伝送方式に示したスイッチングフィルターモジュール１１２の構造を適用して２個の隣接したチャンネルを同時に選択する場合、図２ａに示したように１６.６×２＝３３.２ＭＨｚの有効帯域幅のみを使用することができる。
【０００９】
一方、下部チャンネルの開始周波数から上部チャンネルの終了周波数までの２個のチャンネルの全体帯域を選択できるチャンネル選択フィルター１１６ｅないし１１６ｇを使用して２個の隣接したチャンネルを選択する場合、図２ｂに示したように３６.６ＭＨｚの有効帯域幅が得られる。このように有効帯域幅が増加することにより得られる８０２.１１ａ／ｂ／ｇ方式の最大伝送率利得は約１１％にも上る。
【００１０】
以上のように、一つのチャンネルのみを選択できる４個の使用可能なチャンネル選択フィルターの組合せだけて２個の隣接したチャンネルを同時に選択する場合、周波数の使用効率が減少する問題が発生する。かかる問題を防止するためには、２個の隣接したチャンネルを同時に選択できるチャンネル選択フィルター１１６ｅないし１１６ｇが追加的に必要となる。従って、スイッチングフィルターモジュール１１２は４個のチャンネルのうち一つまたは二つのチャンネルを選択するために、７個という比較的多いチャンネル選択フィルターを必要とする。同様に、８個のチャンネルのためには１５個、１２個のチャンネルのためには３１個のフィルターが必要となる。
【００１１】
前記のように従来の技術によるスイッチングフィルターモジュールではＮ個の使用可能なチャンネルのために２Ｎ−１個のチャンネル選択フィルターを必要とする。従って、使用しようとするチャンネルの数が増加するにつれて希望する応答特性を具現するために必要なフィルターの数が大幅に増加して、モジュールの大きさ及びコストが増加する問題点があった。
【発明の開示】
【発明が解決しようとする課題】
【００１２】
従って、本発明は、前述した従来の問題点を解決するために案出されたものであり、無線近距離ネットワークシステムで多数のチャンネルを動的に選択するためのスイッチングフィルターモジュールを提供することにその目的がある。
【００１３】
かつ、本発明は、隣接した周波数帯域幅をもつ多数のチャンネルを動的に選択するにおいて、必要なフィルター数を減少させられるスイッチングフィルターモジュールを提供することに他の目的がある。
【課題を解決するための手段】
【００１４】
前記の目的を達成するために、本発明の一実施例は、多重チャンネルの動的選択のためのスイッチングフィルターモジュールにおいて、所定の周波数帯域幅をそれぞれ有する第１ないし第４のチャンネルのうち少なくとも一つを含む入力信号を第１及び第２の出力接点から選択された接点に連結する２−経路スイッチと、前記２−経路スイッチの第１及び第２の出力接点にそれぞれ連結された入力部及び出力部を有し、隣接した第１及び第２のチャンネルの周波数帯域を通過させる第１の二重チャンネル選択フィルターと、前記第１の二重チャンネル選択フィルターの出力を自分の第１ないし第３の出力接点から選択された接点に連結する第１の３−経路スイッチと、第１の３−経路スイッチの第１及び第２の出力接点にそれぞれ連結された入力部及び出力を有し、隣接した第２及び第３のチャンネルの周波数帯域を通過させる第２の二重チャンネル選択フィルターと、前記第２の二重チャンネル選択フィルターの出力部は前記スイッチングフィルターモジュールの第１の出力ノードになり、前記入力信号を受信して隣接した第３及び第４のチャンネルの周波数帯域を通過させる第３の二重チャンネル選択フィルターと、前記第３の二重チャンネル選択フィルターの出力を自分の第１ないし第３の出力接点から選択された接点に連結する第２の３−経路スイッチと、前記第２の３−経路スイッチの第１の出力接点は前記第２の二重チャンネル選択フィルターの入力部に連結され、前記第２の３−経路スイッチの第２及び第３の出力接点にそれぞれ連結された入力部及び出力部を有し、第１及び第４のチャンネルの周波数帯域を通過させる第４の二重チャンネル選択フィルターとから構成され、前記第４の二重チャンネル選択フィルターの出力部は前記スイッチングフィルターモジュールの第２の出力ノードになる。
【００１５】
かつ、本発明の他の実施例は、Ｎ個のチャンネルの動的選択のためのスイッチングフィルターモジュールにおいて、所定の周波数帯域幅をそれぞれ有し、隣接した第１ないし第Ｎのチャンネルのうち２個のチャンネルの周波数帯域を通過させるＮ個の二重チャンネル選択フィルターと、前記二重チャンネル選択フィルターを相互接続する少なくとも一つの２経路及び３経路スイッチとから構成され、前記Ｎ個の二重チャンネル選択フィルターはそれぞれ少なくとも一つの他の二重チャンネル選択フィルター及び少なくとも一つの３経路スイッチと直列で連結される。
【発明の効果】
【００１６】
本発明に係るスイッチングフィルターモジュールは、Ｎ個のチャンネルを選択するに必要なスイッチとフィルターの数を減少させてＲＦモジュールの大きさ及びコストを大幅に減少でき、希望するチャンネルのみを通過させて不要な周波数成分を抑制することにより応答性能を保持させる。さらに、何れか一つの隣接チャンネルに２個のチャンネル選択フィルターを用いて重畳的にフィルタリングを行うことにより、周波数の選択度を増加させられる効果がある。
【発明を実施するための最良の形態】
【００１７】
以下、本発明に係る好ましい実施形態を添付図面を参照しつつ詳細に説明する。尚、本発明を説明するにおいて、関連した公知機能や構成に対する具体的な説明は本発明の要旨を明確にするために省くことにする。
【００１８】
本発明はＩＥＥＥ８０２.１１ａ／ｂ／ｇに応じて複数のチャンネルを同時に使用する無線近距離ネットワーク(Wireless Local Area Network：ＷＬＡＮ)システムで、同時使用者のチャンネル占有状態のような情報に基づき干渉の無い複数のチャンネルを同時に使用するためのスイッチングフィルターモジュールに関する。
【００１９】
図３は本発明の一実施例により多重チャンネルを動的に選択するスイッチングフィルターモジュールの構成を示したものである。ここでは、ＷＬＡＮシステムの受信器でＲＦ(Radio Frequency)受信モジュールと復調器間に適用されたフィルターモジュールを示したが、送信器にも同一な構造が適用できる。送信器の場合、スイッチングフィルターモジュールは変調器とＲＦモジュール間に位置される。
【００２０】
前記図３を参照すると、受信アンテナ２０２はＲＦ信号を受信し、帯域通過フィルター(Band Pass Filter：ＢＰＦ)２０４は前記受信されたＲＦ信号をフィルタリングして比較的広い受信周波数帯域に出力する。低雑音増幅器(Low Noise Amplifier：ＬＮＡ)２０６は前記フィルタリングされた信号を増幅する。ミキサー(Mixer)２０８は局部発振器(Local Oscillator)２１０から発生した局部発振周波数にて前記増幅された信号を中間周波数(Intermediate Frequency：ＩＦ)帯域の信号に周波数下降変換(Frequency Down Conversion)する。前記中間周波数信号は所定の周波数帯域を有する多数のチャンネル信号を含んでいるので、スイッチングフィルターモジュール２１２はその信号のうち使用されているチャンネル信号のみを選択して復調器(図示せず)に伝達する。
【００２１】
隣接した所定の周波数帯域を有する第１ないし第４のチャンネルを処理するために、スイッチングフィルターモジュール２１２は１個の２経路スイッチ(２−way switch)２１４ａと２個の３経路スイッチ(３−way switches)２１４ｂ、２１４ｃ及び４個の二重チャンネル選択フィルター(double−channel selection filters)２１６ａないし２１６ｄから構成される。二重チャンネル選択フィルター２１６ａないし２１６ｄ内に明示された番号は該当するフィルターで通過させるチャンネルのインデックスのことを示す。前記各フィルター２１６ａないし２１６ｄは二重チャンネル帯域を通過させる周波数選択フィルターとして働き、２個のチャンネルを通過させる。
【００２２】
スイッチングフィルターモジュール２１２の入力信号は第１のノード２１８で第１の経路と第２の経路とに分離される。２経路スイッチ２１４ａは前記第１の経路の信号に対して二重チャンネル選択フィルター２１６ａを通過させるかどうかを選択し、前記第１の経路の信号を二重チャンネル選択フィルター２１６ａの入力部または出力部(第２のノード２２０)に連結する。二重チャンネル選択フィルター２１６ａは入力される信号に対して隣接した第１のチャンネルと第２のチャンネルの周波数帯域のみを通過させて第２のノード２２０に出力する。
【００２３】
第２のノード２２０は３−経路スイッチ２１４ｂに連結される。３−経路スイッチ２１４ｂは第２のノード２２０からの信号に対して、二重チャンネル選択フィルター２１６ｃに提供するか、または第１の出力ノード２２６に提供するか、またはバイパスするかを決定して、前記結果に応じて前記信号を二重チャンネル選択フィルター２１６ｃ(第３のノード２２２)または二重チャンネル選択フィルター２１６ｄの入力部(第４のノード２２４)に提供する。二重チャンネル選択フィルター２１６ｃは入力される信号に対して隣接した第２のチャンネルと第３のチャンネルの周波数帯域のみを通過させて第１の出力ノード２２６に出力する。
【００２４】
一方、前記第１のノード２１８から分岐された前記第２の経路の信号は二重チャンネル選択信号２１６ｂに提供される。二重チャンネル選択フィルター２１６ｂは前記入力された第２の経路の信号に対して、隣接した第３のチャンネルと第４のチャンネルの周波数帯域のみを通過させて３−経路スイッチ２１４ｃに提供する。３−経路スイッチ２１４ｃは二重チャンネル選択フィルター２１６ｂからの信号に対して、二重チャンネル選択フィルター２１６ｄに提供するか、または第２の出力ノード２２８に提供するか、またはバイパスするかを決定して、前記結果に応じて前記信号を二重チャンネル選択フィルター２１６ｃ(第３のノード２２２)または二重チャンネル選択フィルター２１６ｄの入力部(第４のノード２２４)に提供する。二重チャンネル選択フィルター２１６ｄは最下位の周波数帯域幅を有する第１のチャンネル及び最上位の周波数帯域幅を有する第４のチャンネルの周波数帯域のみを第２の出力ノード２２８に伝送する。
【００２５】
前述した構成のスイッチングフィルターモジュール２１２により希望する２個のチャンネルを選択する動作を図４ないし図９を参照して説明する。特に、図４、図７及び図８は隣接したチャンネルを選択する場合を示したもので、これらの場合には、二重チャンネル選択特性により３６.６ＭＨｚのさらに広い有効帯域幅を得ることができる。
【００２６】
図４は第１及び第２のチャンネルを選択する場合を示した信号流れ図である。図示したように、２−経路スイッチ２１４ａは下点と接し、二重チャンネル選択フィルター２１６は第１及び第２のチャンネルの周波数帯域を通過させる。３−経路スイッチ２１４ｂは上点と接し、二重チャンネル選択フィルター２１６ａからの信号を第１の出力ノード２２６に連結する。下部経路の場合、３−経路スイッチ２１４ｃの接続位置とは関係なく、第２の出力ノード２２８に出力される信号は使用されず、３−経路スイッチ２１４ｃは、中点または下点と接する。
【００２７】
図５は第１及び第３のチャンネルを選択する場合を示した信号流れ図である。図示したように、２−経路スイッチ２１４ａは下点と接し、二重チャンネル選択フィルター２１６ａは第１及び第２のチャンネルの周波数帯域を通過させる。３−経路スイッチ２１４ｂは下点と接し、二重チャンネル選択フィルター２１６ｄは第１及び第４のチャンネルの周波数帯域を通過させる。よって、第２の出力ノード２２８には二重チャンネル選択フィルター２１６ａ 、２１６ｄの共通通過帯域である第１のチャンネルの信号が出力される。下部経路の場合、二重チャンネル選択フィルター２１６ｂは第３及び第４のチャンネルの周波数帯域を通過させる。３−経路スイッチ２１４ｃは上点と接し、二重チャンネル選択フィルター２１６ｃは二重チャンネル選択フィルター２１６ｂにより封鎖された第２のチャンネル信号を除き、第３のチャンネル信号のみを通過させる。ここで、第２のチャンネル信号は、二重チャンネル選択フィルター２１６ｂによって遮断される。よって、第１の出力ノード２２６には二重チャンネル選択フィルター２１６ｂ、２１６ｃの共通通過帯域である第３のチャンネルの信号が出力される。従って、スイッチングフィルターモジュール２１２は第１及び第２の出力ノード２２６、２２８にそれぞれ第３及び第１のチャンネルの信号を出力する。
【００２８】
図６は第１及び第４のチャンネルを選択する場合を示した信号流れ図である。図示したように、２−経路スイッチ２１４ａは上点と接し、３−経路スイッチ２１４ｂに連結される。３−経路スイッチ２１４ｂは下点と接し、２−経路スイッチ２１４ａからの信号を二重チャンネル選択フィルター２１６ｄに連結する。二重チャンネル選択フィルター２１６ｄは３−経路スイッチ２１４ｂからの信号に対して第１及び第４のチャンネルの周波数帯域を通過させて、第１の出力ノード２２８に出力させる。第１の出力ノード２２６に出力される信号は３−経路スイッチ２１４ｃの接続位置とは関係なく使用されず、３−経路スイッチ２１４ｃは、上点または下点に接する。
【００２９】
図７は第２及び第３のチャンネルを選択する場合を示した信号流れ図である。図示したように、２−経路スイッチ２１４ａは上点と接し、３−経路スイッチ２１４ｂに連結され、３−経路スイッチ２１４ｂは中点と接し、２−経路スイッチ２１４ａからの信号を二重チャンネル選択フィルター２１６ｃに連結する。二重チャンネル選択フィルター２１６ｃは３−経路スイッチ２１４ｂからの信号に対して第２及び第３のチャンネルの周波数帯域を通過させて、第１の出力ノード２２６に出力させる。第２の出力ノード２２８に出力される信号は３−経路スイッチ２１４ｃの接続位置とは関係なく使用されない。よって、スイッチングフィルターモジュール２１２は第２及び第３のチャンネルの信号を第１の出力ノード２２６に出力する。
【００３０】
図８は第３及び第４のチャンネルを選択する場合を示した流れ図である。図示したように、二重チャンネル選択フィルター２１６ｂは入力される信号に対して第３及び第４のチャンネルの周波数帯域を通過させて３−経路スイッチ２１４ｃに伝達する。３−経路スイッチ２１４ｃは下点と接し、二重チャンネル選択フィルター２１６ｂからの信号を第２の出力ノード２２８に伝達する。次に、第２の出力ノード２２８は前記第３及び第４のチャンネル信号を出力する。第１の出力ノード２２６から出力される信号はスイッチ２１４ａ、２１４ｂの接続位置とは関係なく使用されない。よって、スイッチングフィルターモジュール２１２は第３及び第４のチャンネルの信号を第２の出力ノード２２８に出力する。
【００３１】
図９は第２及び第４のチャンネルを選択する場合を示した流れ図である。図示したように、二重チャンネル選択フィルター２１６ａは第１及び第２のチャンネルの周波数帯域を通過させて、３−経路スイッチ２１４ｂに伝達する。３−経路スイッチ２１４ｂは中点と接し、３−経路スイッチ２１４ｂからの信号を二重チャンネル選択フィルター２１６ｃに連結する。前記二重チャンネル選択フィルター２１６ｃは二重チャンネル選択フィルター２１６ａにより封鎖された第１のチャンネル信号を除き、第３のチャンネルの周波数帯域のみを通過させて第１の出力ノード２２６に出力させる。ここで、第２のチャンネル信号は、二重チャンネル選択フィルター２１６ｂによって遮断される。よって、第１の出力ノード２２６には二重チャンネル選択フィルター２１６ａ、２１６ｃの共通通過帯域である第２のチャンネルの信号が出力される。
【００３２】
下部経路の場合、二重チャンネル選択フィルター２１６ｂは第３及び第４のチャンネルの周波数帯域を通過させる。３−経路スイッチ２１４ｃは中点と接し、二重チャンネル選択フィルター２１６ｄは二重チャンネル選択フィルター２１６ｂにより封鎖された第３のチャンネル信号を除き、第４のチャンネルの周波数帯域のみを通過させる。よって、前記第２の出力ノード２２８には二重チャンネル選択フィルター２１６ｂ、２１６ｄの共通通過帯域である第４のチャンネルの信号が出力される。従って、スイッチングフィルターモジュール２１２は第１及び第２の出力ノード２２６、２２８にそれぞれ第２及び第４のチャンネルの信号を出力する。
【００３３】
以上、二つのチャンネルを選択する場合の信号流れに対して詳細に説明したが、前記説明した動作原理に基づきスイッチングフィルターモジュール２１２が４個のチャンネルのうち一つか二つ、または三つのチャンネルを選択可能であることは当然のことである。例えば、第１のチャンネルのみを選択する場合、二重チャンネル選択フィルター２１６ａ、２１６ｄを通じて出力される第２の出力ノードの信号のみを使用し、第１の出力ノードからの信号は無視する。他の例として、第１ないし第３のチャンネルを選択する場合、二重チャンネル選択フィルター２１６ａ、２１６ｃを通じて出力される第１の出力ノードの信号のみを使用し、第２の出力ノードからの信号は無視する。
【００３４】
前記図３のスイッチングモジュール２１２は４個のチャンネルを支援する基本的な構造からなるが、二つ以上の構造を結合すると４の倍数個のチャンネルを動的に選択するスイッチングフィルターモジュールの具現が可能になる。具体的に、ＩＥＥＥ８０２.１１ａの場合、５.１５〜５.３５ＧＨｚの受信周波数帯域で２０ＭＨｚのチャンネル帯域幅を有する８個のチャンネルを使用する。
【００３５】
図１０は本発明の他の実施例により８個のチャンネルのために二つの基本構造からなるスイッチングフィルターモジュールを含む受信器の構成を示したものである。図示したように、受信器は受信アンテナ３０２、帯域通過フィルター３０４、低雑音増幅器３０６、ミキサー３０８、局部発振器３１０及びスイッチングフィルターモジュール３１２からなる。
【００３６】
スイッチングフィルターモジュール３１２は隣接した所定の周波数帯域幅を有する第１ないし第４のチャンネルから希望するチャンネルを選択するためのスイッチ３１４ａないし３１２ｃおよび二重チャンネル選択フィルター３１６ａないし３１６ｄと、隣接した所定の周波数帯域幅を有する第５ないし第８のチャンネルを選択するためのスイッチ３１８ａないし３１８ｃおよび二重チャンネル選択フィルター３２０ａないし３２０ｄとからなる。
【００３７】
図１１は前記図１０に示したスイッチングフィルターモジュール３１２により選択可能なチャンネルの組合せを示したものである。ここでは４個までのチャンネルを選択する組合せを示したが、スイッチ３１４ａないし３１４ｃ、３１８ａないし３１８ｃにより５個以上のチャンネルを選択する組合せも可能であることは当然のことである。
【００３８】
図示したように、スイッチングフィルターモジュール３１２は２個の連続したチャンネル、２個の分離されたチャンネル、２個の連続したチャンネルと１個の分離されたチャンネル、３個の分離されたチャンネル、２個の連続したチャンネルと２個の連続したチャンネルを選択することができる。
【００３９】
前述の如き、本発明はＮ個のチャンネルを選択するに必要なスイッチとフィルターの数を減少させてＲＦモジュールの大きさ及びコストを大幅に減少でき、希望するチャンネルのみを通過させて不要な周波数成分を抑制して応答性能を保持させる。さらに、何れか一つの隣接チャンネルに２個のチャンネル選択フィルターを用いて重畳的にフィルタリングを行うことにより、周波数の選択度を増加させられる効果がある。
【００４０】
以上、本発明を具体的な実施例を上げて説明してきたが、本発明の思想を外れない範囲内で様々な変形が可能であることは当業者にとって自明であり、従って、本発明の範囲は特許請求の範囲及びその請求の範囲と均等なものによって定められるべきである。
【図面の簡単な説明】
【００４１】
【図１】従来の技術により使用可能なチャンネルのうち一つまたは二つのチャンネルを同時に選択するためのフィルターモジュールの構造図。
【図２Ａ】単一チャンネル選択フィルターの有効帯域幅を示した図。
【図２Ｂ】二重チャンネル選択フィルターの有効帯域幅を示した図。
【図３】本発明の望ましい一実施例による多重チャンネルを動的に選択するスイッチングフィルターモジュールの構成図。
【図４】本発明による二つのチャンネルを選択する場合の信号流れ図。
【図５】本発明による二つのチャンネルを選択する場合の信号流れ図。
【図６】本発明による二つのチャンネルを選択する場合の信号流れ図。
【図７】本発明による二つのチャンネルを選択する場合の信号流れ図。
【図８】本発明による二つのチャンネルを選択する場合の信号流れ図。
【図９】本発明による二つのチャンネルを選択する場合の信号流れ図。
【図１０】本発明の他の実施例による８個のチャンネルのために二つの基本構造からなるスイッチングフィルターモジュールを含む受信器の構成図。
【図１１】図１０に示したスイッチングフィルターモジュールにより選択可能なチャンネルの組合せを示した図。
【符号の説明】
【００４２】
２０２・・・受信アンテナ、２０４・・・帯域通過フィルター、２０６・・・低雑音増幅器、２０８・・・ミキサー、２１０・・・局部発振器、２１２・・・スイッチングフィルタモジュール、２１４ａ・・・２経路スイッチ、２１４ｂ及び２１４ｃ・・・３経路スイッチ、２１６ａ乃至２１６ｄ・・・二重チャンネル選択フィルタ、２１８・・・第１のノード、２２０・・・第２のノード、２２２・・・第３のノード、２２４・・・第４のノード、２２６・・・第１の出力ノード、２２８・・・第２の出力ノード。
【図１】
2005020756.tif 000003
【図２Ａ】
2005020756.tif 000004
【図２Ｂ】
2005020756.tif 000005
【図３】
2005020756.tif 000006
【図４】
2005020756.tif 000007
【図５】
2005020756.tif 000008
【図６】
2005020756.tif 000009
【図７】
2005020756.tif 000010
【図８】
2005020756.tif 000011
【図９】
2005020756.tif 000012
【図１０】
2005020756.tif 000013
【図１１】
2005020756.tif 000014